(57)【要約】【課題】冷蔵室庫内を均等かつ効率的に脱臭、冷却することができ、かつ部品点数を削減し、かつ冷蔵室庫内の隅々における明るさを向上させた冷蔵庫を提供することを目的とする。【解決手段】冷蔵室に庫内脱臭用風路と冷却用風路を並列に構成した冷蔵室用ダクトに天面ダクトを連結させることにより、冷蔵室庫内上部と下部における冷却ムラを解消し、均一かつ効率よく冷却することができる。また、冷蔵室冷却用ファンと冷蔵室脱臭用ファンの切り換えにより、庫内脱臭用吐出と庫内循環用冷気吸い込み風路を１箇所にすることができ、これにより部品点数の削減が可能となる。また、前記天面ダクトの中央に、前後に庫内照明を配置させることにより庫内の隅々にわたって明るさを向上させることができる。【選択図】図２
2006038274.tif 000002
【特許請求の範囲】
【請求項１】
冷蔵庫本体と、この本体の上部に冷蔵食品等を貯蔵する冷蔵室と、前記冷蔵室の下部に設けられた冷凍からチルド、冷蔵まで切換え可能な切換室と、前記冷蔵室の下部で前記切換室に並列配置された製氷及び氷の貯蔵を行う製氷室と、前記冷蔵庫本体下部に設けられた冷凍室と、並列配置された前記製氷室及び切換室と冷凍室の間に設けられた、野菜類を貯蔵する野菜室と、冷蔵室背面に設置した第１の冷却器と、前記第１の冷却器と前記冷蔵室を仕切り、前記第１の冷却器によって冷却された冷気を前記冷蔵室に導くための冷蔵室用吐出風路及び前記冷蔵室を冷却した冷気を第１の冷却器に戻すための冷蔵室用戻り風路と、前記野菜室と前記冷凍室を仕切り、前記冷蔵庫本体の発泡充填前に設置した仕切り壁と、前記製氷室及び前記切換室及び前記冷凍室を冷却する前記野菜室及び前記製氷室及び前記切換室の奥に設置した第２の冷却器と、前記第２の冷却器で冷却された冷気を前記製氷室及び前記切換室及び前記冷凍室へ導く吐出風路を内蔵した、前記第２の冷却器の前に設置された冷凍室用ダクトを備え、前記第１の冷却器で前記冷蔵室のみ冷却し、前記第２の冷却器で前記冷蔵室以外の前記製氷室、前記切換室、及び前記冷凍室を冷却するようにしたものにおいて、前記冷蔵室用戻り風路に庫内脱臭用風路を並列に構成した前記冷蔵室用ダクトと天面ダクトを連結させ、前記天面ダクトの前面開口部を庫内棚より前方に配置したことを特徴とする冷蔵庫。
【請求項２】
前記天面ダクトは、冷蔵室冷却用ファンと冷蔵室脱臭用ファンの切換えにより、庫内脱臭用吐出と庫内循環用冷気吸い込み風路を形成することを特徴とした請求項１に記載の冷蔵庫。
【請求項３】
前記天面ダクトの中央に、前後に庫内照明を配置させることを特徴とする請求項１または２に記載の冷蔵庫。
【発明の詳細な説明】
【技術分野】
【０００１】
本発明は、冷蔵庫の冷却仕様に関するものである。
【背景技術】
【０００２】
従来この種の冷蔵庫は、冷蔵室冷却用風路を冷蔵室奥面に配置することを特徴としている。（例えば、特許文献１参照）。
【０００３】
図８は、特許文献１に記載された従来の冷蔵庫を示すものである。図８に示すように、第一の冷却器１１と、第二の冷却器１４、冷蔵室冷却用ダクト１２、冷蔵室冷却用ファン２１、冷蔵室用吐出風路２５から構成される。
【特許文献１】特開平１０−３００３１６号公報
【発明の開示】
【発明が解決しようとする課題】
【０００４】
しかしながら、上記のような構成では冷蔵室庫内の上部と下部での脱臭、冷却を均等に行うことができず、かつ庫内の隅々にわたって明るさを確保できないという課題を有していた。
【０００５】
本発明は上記課題を解決するもので、前記冷蔵室用戻り風路に庫内脱臭用風路を並列に構成した前記冷蔵室用ダクト連結させることにより風路を構成した天面ダクトの前面開口部を庫内棚より前方に配置することで、冷蔵室庫内を均等に脱臭、冷却することができ、かつ前記天面ダクト中央に庫内照明を配置させることにより、庫内の隅々における明るさに優れた冷蔵庫を提供することを目的とする。
【課題を解決するための手段】
【０００６】
上記従来の課題を解決するために、本発明の冷蔵庫は、冷蔵庫本体と、この本体の上部に冷蔵食品等を貯蔵する冷蔵室と、前記冷蔵室の下部に設けられた冷凍からチルド、冷蔵まで切換え可能な切換室と、前記冷蔵室の下部で前記切換室に並列配置された製氷及び氷の貯蔵を行う製氷室と、前記冷蔵庫本体下部に設けられた冷凍室と、並列配置された前記製氷室及び切換室と冷凍室の間に設けられた、野菜類を貯蔵する野菜室と、冷蔵室背面に設置した第１の冷却器と、前記第１の冷却器と前記冷蔵室を仕切り、前記第１の冷却器によって冷却された冷気を前記冷蔵室に導くための冷蔵室用吐出風路及び前記冷蔵室を冷却した冷気を第１の冷却器に戻すための冷蔵室用戻り風路と、前記野菜室と前記冷凍室を仕切り、前記冷蔵庫本体の発泡充填前に設置した仕切り壁と、前記製氷室及び前記切換室及び前記冷凍室を冷却する前記野菜室及び前記製氷室及び前記切換室の奥に設置した第２の冷却器と、前記第２の冷却器で冷却された冷気を前記製氷室及び前記切換室及び前記冷凍室へ導く吐出風路を内蔵した、前記第２の冷却器の前に設置された冷凍室用ダクトを備え、前記第１の冷却器で前記冷蔵室のみ冷却し、前記第２の冷却器で前記冷蔵室以外の前記製氷室、前記切換室、及び前記冷凍室を冷却するようにしたものにおいて、前記冷蔵室用戻り風路に庫内脱臭用風路を並列に構成した前記冷蔵室用ダクトと天面ダクトを連結させ、前記天面ダクトの前面開口部を庫内棚より前方に配置したことにより、冷蔵室庫内における上部及び下部での均一な脱臭、冷却を行うことが可能となる。
【０００７】
また、本発明の冷蔵庫は、冷蔵室冷却用ファンと冷蔵室脱臭用ファンの切り換えにより、天面ダクトは庫内脱臭用吐出と庫内循環用冷気吸い込み風路という２つの役割を果たすことができる。
【０００８】
これによって、風路を１箇所にすることができるため、風路を構成するための部品点数の削減が可能となり、かつ部品取り付け作業工数の低減が可能となる。
【０００９】
また、本発明の冷蔵庫は、前記天面ダクトの中央部分前後に庫内照明を配置したものである。
【００１０】
これによって、庫内の隅々にわたって明るさを確保することが可能となり、かつ前記庫内脱臭用吐出と前記庫内循環用冷気吸い込み風路を左右に配置することで、全幅にわたって均一な脱臭、冷却を行うことができる。
【発明の効果】
【００１１】
本発明の冷蔵庫は第１の冷却器で冷蔵室のみを冷却し、第２の冷却器で冷蔵室以外の製氷室、切換室、野菜室及び冷凍室を冷却するようにし、かつ前記冷蔵室用戻り風路に庫内脱臭用風路を並列に構成した前記冷蔵室用ダクトと天面ダクトを連結させ、かつ前記天面ダクトの前面開口部を庫内棚より前方に配置したことにより、冷蔵室庫内上部及び下部での均等な脱臭、冷却を行うことが可能となる。
【００１２】
また、本発明の冷蔵庫は、冷蔵室冷却用ファンと冷蔵室脱臭用ファンを切り換えることで、天面ダクトは庫内脱臭用吐出と庫内循環用冷気吸い込み風路という２つの役割を果たすことができ、風路を１箇所にできることで風路を構成するための部品点数の削減が可能となり、かつ部品取り付け作業工数の低減が可能となる。
【００１３】
また、本発明の冷蔵庫は、前記天面ダクトの中央部分前後に庫内照明を配置したことにより、前記庫内脱臭用吐出と前記庫内循環用冷気吸い込み風路を左右に配置することで、全幅にわたって均一な脱臭、冷却を行うことができ、かつ庫内の隅々にわたって明るさを確保することが可能となる。
【発明を実施するための最良の形態】
【００１４】
請求項１に記載の発明は、冷蔵庫本体と、この本体の上部に冷蔵食品等を貯蔵する冷蔵室と、前記冷蔵室の下部に設けられた冷凍からチルド、冷蔵まで切換え可能な切換室と、前記冷蔵室の下部で前記切換室に並列配置された製氷及び氷の貯蔵を行う製氷室と、前記冷蔵庫本体下部に設けられた冷凍室と、並列配置された前記製氷室及び切換室と冷凍室の間に設けられた、野菜類を貯蔵する野菜室と、冷蔵室背面に設置した第１の冷却器と、前記第１の冷却器と前記冷蔵室を仕切り、前記第１の冷却器によって冷却された冷気を前記冷蔵室に導くための冷蔵室用吐出風路及び前記冷蔵室を冷却した冷気を第１の冷却器に戻すための冷蔵室用戻り風路と、前記野菜室と前記冷凍室を仕切り、前記冷蔵庫本体の発泡充填前に設置した仕切り壁と、前記製氷室及び前記切換室及び前記冷凍室を冷却する前記野菜室及び前記製氷室及び前記切換室の奥に設置した第２の冷却器と、前記第２の冷却器で冷却された冷気を前記製氷室及び前記切換室及び前記冷凍室へ導く吐出風路を内蔵した、前記第２の冷却器の前に設置された冷凍室用ダクトを備え、前記第１の冷却器で前記冷蔵室のみ冷却し、前記第２の冷却器で前記冷蔵室以外の前記製氷室、前記切換室、及び前記冷凍室を冷却するようにしたものにおいて、前記冷蔵室用戻り風路に庫内脱臭用風路を並列に構成した前記冷蔵室用ダクトと天面ダクトを連結させ、前記天面ダクトの前面開口部を庫内棚より前方に配置したことにより、冷蔵室庫内上部及び下部での均等な脱臭、冷却を行うことが可能となる。
【００１５】
請求項２に記載の発明は、前記天面ダクトを、冷蔵室冷却用ファンと冷蔵室脱臭用ファンの切り換えにより、庫内脱臭用吐出と庫内循環用冷気吸い込み風路という２つの役割を果たすものであり、これにより風路を１箇所にすることができ、風路を構成するための部品点数の削減が可能となり、かつ部品取り付け作業工数の低減が可能となる。
【００１６】
請求項３に記載の発明は、前記天面ダクトの中央に、前後に庫内照明を配置させたものであり、これにより庫内の隅々にわたって明るさを確保することが可能となり、かつ前記庫内脱臭用吐出と前記庫内循環用冷気吸い込み風路を左右に配置することで、全幅にわたって均一な脱臭、冷却を行うことができる。
【００１７】
以下、本発明の実施の形態について、図面を参照しながら説明する。なお、この実施の形態によってこの発明が限定されるものではない。
【００１８】
（実施の形態１）
図１は本発明の実施の形態１における冷蔵庫の斜視図を示すものである。
【００１９】
図１において、１は冷蔵庫本体であり、最上部に冷蔵室２と、冷蔵室２との下方に切換室３と、並列配置された製氷及び氷の貯蔵を行う製氷室４と、本体下部に設けられた冷凍室５と、並列配置した製氷室４及び切換室３と、冷凍室５の間に設けられた、野菜類を貯蔵する野菜室６を有する。
【００２０】
図２は本発明の実施の形態１における冷蔵庫の断面図である。
【００２１】
図２において、１１は第１の冷却器であり冷蔵室背面に設置される。１２は冷蔵室冷却用ダクトであり前記第１の冷却器１１と冷蔵室２を仕切り、前記第１の冷却器１１によって冷却された冷気を冷蔵室２に導く。１３は仕切り壁であり野菜室６と冷凍室５を仕切り、冷蔵庫本体１の発泡充填前に設置されている。１４は第２の冷却器であり、野菜室６及び製氷室４及び切換室３の奥に設置され、製氷室４及び切換室３及び冷凍室５を冷却する。１６は冷凍室用ダクトであり、前記第２の冷却器で前記冷蔵室２以外の前記製氷室４、前記切換室３、及び前記冷凍室５を冷却する。１５は吐出風路であり、前記第２の冷却器で冷却された冷気を前記製氷室４及び前記切換室３及び前記冷凍室へ導く。１７は冷蔵室庫内灯であり、前記天面ダクト２６の中央に前後に配置され、庫内を明るく照らす。
【００２２】
図３は本発明の実施の形態１における冷蔵庫の冷蔵室正面図である。図４は本発明の実施の形態１における冷蔵庫の冷蔵室冷却ファン運転時の冷蔵室断面図である。図５は本発明の実施の形態１における冷蔵庫の冷蔵室脱臭ファン運転時の冷蔵室断面図である。図６は本発明の実施の形態１における冷蔵庫の平面図である。
【００２３】
図３、４、５、６において、２１は冷蔵室冷却用ファンであり、冷蔵室２を冷却した冷気を冷蔵室用戻り風路３２を介して冷却器１１に戻す。２５は冷蔵室用吐出風路であり、冷却器１１によって冷却された冷気を前記冷蔵室２へ導く。２２は庫内脱臭用ファンであり、冷蔵室２で発生した臭気は庫内脱臭用吸い込み穴２３より脱臭触媒２４へ取り込まれ、脱臭した後冷却器１７で冷却された冷気を脱臭用吐出風路３３により庫内へ循環する。２６は天面ダクトであり、前記天面ダクトの前面開口部は庫内棚３１より前方に配置している。
【００２４】
このような構成において作用を説明する。冷却器１１によって発生した冷気は冷蔵室用ダクト１２の冷蔵室用吐出風路２５に導かれ冷蔵室２に供給される。冷蔵室２を冷却した冷気は冷蔵室用戻り風路３２に導かれ、冷却器１１に帰還する。
【００２５】
また冷蔵室２で発生した臭気は、庫内脱臭用吸い込み穴２３より脱臭触媒２４へ取り込まれ脱臭した後冷却器１１で冷却された後、冷気となって前記天面ダクト２６を介して庫内へ循環する。
【００２６】
以上のように本実施の形態においては、冷蔵室の庫内脱臭用風路と冷却用風路を並列に構成した冷蔵室冷却用ダクト１２に天面ダクト２６を連結し、前記天面ダクト２６の前面開口部を前記庫内棚３１より前方に配置させたことにより、冷蔵室庫内上部及び下部での均等な脱臭、冷却を行うことができる。
【００２７】
また、前記天面ダクト２６を前記冷蔵室冷却用ファン２１と前記冷蔵室脱臭用ファン２２を切換えることにより、前記庫内脱臭用吐出風路３３と前記冷蔵室用戻り風路３２を１箇所にすることもでき、かつ風路を構成するための部品点数を削減することも可能となり、かつ部品取り付け作業工数を低減することも可能となる。
【００２８】
また、前記天面ダクト２６の中央に、前後に前記庫内灯１７を配置することにより、庫内の隅々にわたって明るさを確保することも可能となり、かつ前記庫内脱臭用吐出風路３３と前記冷蔵室用戻り風路３２を左右に配置することにより、全幅にわたって均一な脱臭、冷却を行うこともできる。
【産業上の利用可能性】
【００２９】
以上のように、本発明にかかる冷蔵庫は、冷蔵室の庫内脱臭用風路と冷却用風路を並列に構成した冷蔵室用ダクトに天面ダクトを連結させ、前記天面ダクトの前面開口部を庫内棚よりも前方に配置することにより、冷蔵室庫内上部及び下部での均等な脱臭、冷却を行うことができ、かつ前記天面ダクトの中央部前後に庫内灯を配置させることで明るい庫内を実現することができるため、冷凍機器全般の冷却方法及び、脱臭方法、照明方法等の用途にも適用できる。
【図面の簡単な説明】
【００３０】
【図１】本発明の実施の形態１における冷蔵庫の斜視図
【図２】本発明の実施の形態１における冷蔵庫の断面図
【図３】本発明の実施の形態１における冷蔵庫の冷蔵室正面図
【図４】本発明の実施の形態１における冷蔵庫の冷蔵室冷却ファン運転時の冷蔵室断面図
【図５】本発明の実施の形態１における冷蔵庫の冷蔵室脱臭ファン運転時の冷蔵室断面図
【図６】本発明の実施の形態１における冷蔵庫の平面図
【図７】本発明の実施の形態１における冷蔵庫の断面図
【図８】従来の冷蔵庫における断面図
【符号の説明】
【００３１】
１    冷蔵庫本体
２    冷蔵室
３    切換室
４    製氷室
５    冷凍室
６    野菜室
１１    第１の冷却器
１２    冷蔵室用ダクト
１３    仕切り壁
１４    第２の冷却器
１５    吐出風路
１６    冷凍室用ダクト
１７    庫内灯
２１    冷蔵室冷却用ファン
２２    庫内脱臭ファン
２３    庫内脱臭用吸い込み穴
２４    脱臭触媒
２５    冷蔵室用吐出風路
２６    天面ダクト
３１    冷蔵室上部棚
３２    冷蔵室用戻り風路
３３    脱臭用吐出風路
【図１】
2006038274.tif 000003
【図２】
2006038274.tif 000004
【図３】
2006038274.tif 000005
【図４】
2006038274.tif 000006
【図５】
2006038274.tif 000007
【図６】
2006038274.tif 000008
【図７】
2006038274.tif 000009
【図８】
2006038274.tif 000010